(57)【特許請求の範囲】
【請求項１】
供給された中間周波数（ＩＦ）帯信号をサンプリングするＡＤ変換器(ADC) と、前記ＡＤ変換器(ADC) の出力を直交検波する直交検波部と、直交検波されたデータ毎にベースバンド信号に変換するナイキストフィルタと、前記ナイキストフィルタのタップ係数を記憶するタップ係数テーブル部と、前記ナイキストフィルタから与えられる出力データ（Ia、Qa）を位相補正するＲＯＴ（ローテータ）と、前記ＲＯＴ（ローテータ）から出力される受信したシンボル点の位相と、期待されるシンボル点の位相とを比較し、搬送波（キャリア）のずれを検出し、次シンボル補正のために前記ＲＯＴ（ローテータ）へフィードバックするＣＲ（キャリアリカバリ）と、前記ＲＯＴ（ローテータ）から出力される２シンボル点間の、零クロス点に基づき実サンプル点と、理想サンプル点との時間ずれ量を検出するＢＴＲ（ビットタイミングリカバリ）とを具え、
ＢＴＲ（ビットタイミングリカバリ）が検出した時間ずれ量により、前記タップ係数テーブル部から相応のタップ係数の組を選択し読み出し、前記ナイキストフィルタに供給して、サンプリングタイミングを補償するデジタル復調装置において、
前記ＣＲ（キャリアリカバリ）が検出した搬送波（キャリア）のずれの平均を算出する平均演算部を設け、ずれの平均によりタップ係数の組を選択することを特徴としたデジタル復調装置。
【請求項２】
上記平均演算部を算術平均を演算するものとする請求項１記載のデジタル復調装置。
【請求項３】
上記平均演算部を３２乃至６４データについて演算するものとする請求項１記載のデジタル復調装置。
【発明の詳細な説明】
【０００１】
【発明の属する技術分野】
本発明は、ベースバンド帯で周波数誤差による位相誤差の時間変化を補正する準同期検波方式のデジタル復調装置に関する。
【０００２】
【従来の技術】
図４は従来の準同期検波方式のデジタル復調装置の実施例を示すブロック図である。
１は中間周波数（ＩＦ）である、例えば、455kHz等の変調波を、局部発振器（図示せず）からの固定のクロック信号でサンプリングするＡＤ変換器(ADC) である。
２は、ＡＤ変換器(ADC) １の出力を「１」、「−１」を乗算しながら直交検波する直交検波部である。3a及び3bは、直交検波されたデータ毎にベースバンド信号に変換する２つのナイキストフィルタ（デジタルフィルタ；DTF ）である。
４は、前記ナイキストフィルタ3a及び3bのタップ係数を参照表形式で複数組を記憶するタップ係数テーブル部である。５は、前記ナイキストフィルタ3a及び3bから与えられるベースバンド帯の出力データ（Ia、Qa）を位相補正し、同相成分Ib、直交成分Qbを生成するＲＯＴ（ローテータ）である。
【０００３】
６は、前記ＲＯＴ（ローテータ）５から出力される雑音のために位相ずれを含む受信したシンボル点の位相と、期待されるシンボル点の位相とを比較し、搬送波（キャリア）のずれを検出し、次シンボル補正のために、前記ＲＯＴ（ローテータ）５へフィードバックするＣＲ（キャリアリカバリ）である。
【０００４】
７は、前記ＲＯＴ（ローテータ）５から出力される２シンボル点間の、零クロス点に基づき実サンプル点と、理想サンプル点との時間ずれ量を検出するＢＴＲ（ビットタイミングリカバリ）であり、このＢＴＲ（ビットタイミングリカバリ）が検出した時間ずれ量により、前記タップ係数テーブル部４から相応のタップ係数の組を選択し読み出し、前記ナイキストフィルタ3a及び3bに供給して、サンプリングタイミングを補償する。
８は同相成分Ib、直交成分Qbから送信情報を判定するＩＱ判定部である。９は判定された同相データと、直交データを直列データに合成するP/S である。
【０００５】
従来の準同期検波方式のデジタル復調装置の復調動作を、図４を参照して説明する。
ＡＤ変換器(ADC) １は中間周波数（ＩＦ）である、例えば、455kHz等の変調波を、局部発振器からのクロック信号（fs）、例えば、fs＝455kHz×４÷13＝140 kHz 等の４倍サンプリングを所要数で除した周波数、でサンプリングし、次段の直交検波部２は、ＡＤ変換器(ADC) １の出力を「１」、「−１」を乗算しながら直交検波する。
【０００６】
ナイキストフィルタ（デジタルフィルタ；DTF ）3a及び3bは、それぞれ直交検波されたデータをIa、Qaのベースバンド帯の信号に変換する。
タップ係数テーブル部４は、前記ナイキストフィルタ3a及び3bのタップ係数を参照表形式で複数組を記憶し、ＲＯＴ（ローテータ）５は、前記ナイキストフィルタ3a及び3bから与えられる出力データ（Ia、Qa）を位相補正し、同相成分Ib、直交成分Qbを生成する。
【０００７】
ＣＲ（キャリアリカバリ）６は、前記ＲＯＴ（ローテータ）５から出力される雑音のために位相ずれを含む受信したシンボル点の位相と、期待されるシンボル点の位相とを比較し、搬送波（キャリア）のずれを検出し、次シンボル補正のために前記ＲＯＴ（ローテータ）５へフィードバックする。
ＢＴＲ（ビットタイミングリカバリ）７は、前記ＲＯＴ（ローテータ）５から出力される２シンボル点間の、零クロス点に基づき実サンプル点と、理想サンプル点との時間ずれ量を検出し、このＢＴＲ（ビットタイミングリカバリ）７が検出した時間ずれ量により、前記タップ係数テーブル部４から相応のタップ係数の組を選択し読み出し、前記ナイキストフィルタ3a及び3bに供給して、サンプリングタイミングを補償する。
ＩＱ判定部８は同相成分Ib、直交成分Qbから送信情報を判定し、P/S ９は判定された同相データと、直交データとから元の送信情報である直列データを合成する。
【０００８】
上述したように、従来の準同期検波方式のデジタル復調装置においては、雑音毎に生じた位相誤差を補正するため、ＣＲ（キャリアリカバリ）６で搬送波（キャリア）のずれを検出し、ＲＯＴ（ローテータ）５へフィードバックし、次シンボル補正を行なっている。
言い換えると、準同期検波により生じた位相誤差の補正を搬送波（キャリア）の雑音毎の位相補正のみで行っていた。
【０００９】
ところで、ナイキストフィルタ（デジタルフィルタ；DTF ）3a及び3bに与えられる、直交検波部２を経由したＡＤ変換器(ADC) １からのデータは、ＡＤ変換器(ADC) １において用いられる局部発振器からのクロック信号が、局部発振器が使用する水晶素子の数ｐｐｍの誤差に起因する位相誤差を含んでいる。
そのため、搬送波（キャリア）には位相誤差のオフセットを有する。
【００１０】
しかし、従来の搬送波（キャリア）の雑音毎の位相補正は、位相誤差のオフセットを補正出来ず、そのため、復調時のビット誤りを十分に低減できない問題があった。
【００１１】
【発明が解決しようとする課題】
本発明は上記問題点に鑑みなされたもので、復調時のビット誤りを低減したデジタル復調装置を提供することを目的とする。
【００１２】
【課題を解決するための手段】
上記目的を達成するために、供給された中間周波数（ＩＦ）帯信号をサンプリングするＡＤ変換器(ADC) と、前記ＡＤ変換器(ADC) の出力を直交検波する直交検波部と、直交検波されたデータ毎にベースバンド信号に変換するナイキストフィルタと、前記ナイキストフィルタのタップ係数を記憶するタップ係数テーブル部と、前記ナイキストフィルタから与えられる出力データ（Ia、Qa）を位相補正するＲＯＴ（ローテータ）と、前記ＲＯＴ（ローテータ）から出力される受信したシンボル点の位相と、期待されるシンボル点の位相とを比較し、搬送波（キャリア）のずれを検出し、次シンボル補正のために前記ＲＯＴ（ローテータ）へフィードバックするＣＲ（キャリアリカバリ）と、前記ＲＯＴ（ローテータ）から出力される２シンボル点間の、零クロス点に基づき実サンプル点と、理想サンプル点との時間ずれ量を検出するＢＴＲ（ビットタイミングリカバリ）とを具え、ＢＴＲ（ビットタイミングリカバリ）が検出した時間ずれ量により、前記タップ係数テーブル部から相応のタップ係数の組を選択し読み出し、前記ナイキストフィルタに供給して、サンプリングタイミングを補償するデジタル復調装置において、
前記ＣＲ（キャリアリカバリ）が検出した搬送波（キャリア）のずれの平均を算出する平均演算部を設け、ずれの平均によりタップ係数の組を選択するようにした。
【００１３】
【発明の実施の形態】
以上のように構成したので、ＣＲ（キャリアリカバリ）が検出した搬送波（キャリア）のずれの雑音に起因する成分は、平均演算部の平均演算により相殺され、位相誤差のオフセットが検出される。
このオフセットと、ＢＴＲ（ビットタイミングリカバリ）が検出した理想サンプル点との時間ずれ量を用いて、前記タップ係数テーブル部から相応のタップ係数の組、例えば、オフセットとずれ量の合計の「大」、「中」、「小」に応じた相応のパターンを有するタップ係数の組、を選択し読み出し、前記ナイキストフィルタに供給して、サンプリングタイミングを補償する。
【００１４】
【実施例】
以下、本発明によるデジタル復調装置について、図を用いて詳細に説明する。図１は本発明によるデジタル復調装置の実施例を示すブロック図である。尚、従来例と同一の個所は同じ番号を付し、重複説明を省略する。
10は、ＣＲ（キャリアリカバリ）６が検出した搬送波（キャリア）のずれの平均を算出する平均演算部である。
【００１５】
本発明によるデジタル復調装置の位相誤差の補正動作を図１、図２、及び図３に従い説明する。
尚、図２は本発明によるデジタル復調装置のナイキストフィルタのインパルス応答波形上の理想サンプル点と補正前後のサンプル点を示した図であり、全体波形（イ）及び要部拡大波形（ロ）である。また、図３は本発明によるデジタル復調装置の位相誤差の補正動作を示すフローチャートである。また、従来例と同じ動作は重複説明を適宜省略する。
図３フローチャートによれば、ステップ(STP）１において、ＢＴＲ（ビットタイミングリカバリ）７は、前記ＲＯＴ（ローテータ）５から出力される２シンボル点間の、零クロス点に基づき実サンプル点と、理想サンプル点との時間ずれ量、図２（ロ）に示したΔｔを検出し、この時間ずれ量Δｔをタップ係数テーブル部４に供給する（従来と同じ処理）。
【００１６】
ステップ(STP）２において、平均演算部10が、ＣＲ（キャリアリカバリ）６が検出した搬送波（キャリア）のずれに基づき、例えば、ずれの３２乃至６４シンボルの算術平均を算出し、この平均ずれ量をタップ係数テーブル部４に供給する。
ステップ(STP）３において、タップ係数テーブル部４は、前記時間ずれ量Δｔと、平均ずれ量を、例えば、加算して合計のずれ量を得、この合計のずれ量により、ナイキストフィルタ3a及び3bのタップ係数を参照表形式で複数組を記憶しているタップ係数テーブル部４から相応のタップ係数の組を選択し読み出すことにより、ナイキストフィルタ3a及び3bに供給してフィルタ処理を行ない、サンプリングタイミングを補償する。
【００１７】
複数組のタップ係数としては、図２に示したΔｔの大、小に応じて、例えば、１６種類程度のインパルス応答波形上のデータの組を用意し、予め、タップ係数テーブル部４に記憶させておく。
従って、Δｔに応じて相応のインパルス応答波形上のデータの組を選択して、ナイキストフィルタ3a及び3bに供給して、それぞれ直交検波されたデータと乗積してフィルタ処理を行なうことにより、図２のサンプルポイントを動かし補正することと等価な補正処理を実施できる。
ステップ(STP）４において、以降、従来と同様の復調処理を行なうので、重複説明を省略する。
【００１８】
【発明の効果】
以上説明したように、本発明は復調時のビット誤りを低減したデジタル復調装置を提供する。
上述したように、ＡＤ変換等に用いられる局部発振器の水晶素子が数ｐｐｍの誤差を有し、その誤差に起因する位相誤差がオフセットとして存在する場合にも、ずれの３２乃至６４シンボルの平均を算出し、この平均ずれ量に基づきサンプリングタイミングを補償するようにしているので、搬送波（キャリア）のオフセットを含む位相誤差を十分に補正できる。
従って、復調時のビット誤りを低減するメリットがある。
【００１９】
また、平均を算出する場合、３２乃至６４シンボルの平均で良いので、短い引き込み時間で処理が可能である。
さらに、従来例に、例えば、ソフト処理で実施できる平均演算部を付加する構成であるので、ほとんどコストアップせずに実現できる。
【図面の簡単な説明】
【図１】本発明によるデジタル復調装置の実施例を示すブロック図である。
【図２】本発明によるデジタル復調装置のナイキストフィルタのインパルス応答波形上の理想サンプル点と補正前後のサンプル点を示した図であり、全体波形（イ）及び要部拡大波形（ロ）である。
【図３】本発明によるデジタル復調装置の位相誤差の補正動作を示すフローチャートである。
【図４】従来の準同期検波方式のデジタル復調装置の実施例を示すブロック図である。
【符号の説明】
１  ＡＤ変換器(ADC)
２  直交検波部
3a、3b  ナイキストフィルタ（デジタルフィルタ；DTF ）
４  タップ係数テーブル部
５  ＲＯＴ（ローテータ）
６  ＣＲ（キャリアリカバリ）
７  ＢＴＲ（ビットタイミングリカバリ）
８  ＩＱ判定部
９  P/S
１０  平均演算部
【図１】
0003677941.tif 000002
【図２】
0003677941.tif 000003
【図３】
0003677941.tif 000004
【図４】
0003677941.tif 000005